(57)【要約】【課題】ワインディング作業の際に、コールドペーパ収納容器の床等への転落がない、また、施術者の邪魔にならず、作業性を向上させることが可能なコールドペーパ用ホルダを提供する。【解決手段】コールドパーマ用ペーパ１２を収納するコールドペーパ収納容器１０を保持するコールドペーパ用ホルダ１であって、コールドペーパ収納容器１０に当接して保持する容器保持部３と、容器保持部３を回動自在に支持する支持部４と、支持部４に設けられ、被係合側１１に係合するための本体部２とを有し、本体部２は、容器保持部３に保持されるコールドペ−パ収納容器１０の上下方向に沿って延びる係合部２ｃ、２ｄを備え、係合部２ｃ、２ｄは、その形状が被係合側１１に対応して折り曲げ可能で、かつ被係合側１１への係合時に形状保持性を有する金属部材で形成される。【選択図】  図２
2004173920.tif 000002
【特許請求の範囲】
【請求項１】
コールドパーマ用ペーパを収納するコールドペーパ収納容器を保持するコールドペーパ用ホルダであって、
前記コールドペーパ収納容器に当接して保持する容器保持部と、
前記容器保持部を回動自在に支持する支持部と、
前記支持部に設けられ、被係合側に係合するための本体部とを有し、
前記本体部は、前記容器保持部に保持されるコールドペ−パ収納容器の上下方向に沿って延びる係合部を備え、前記係合部は、その形状が前記被係合側に対応して折り曲げ可能で、かつ前記被係合側への係合時に形状保持性を有する金属部材で形成されることを特徴とするコールドペーパ用ホルダ。
【請求項２】
前記係合部の断面形状は、中心点を通り直交する直線の一方が他方の直線より長く形成された長軸線を有する形状からなり、前記長軸線がその係合部の折曲方向に直交方向となるように前記支持部に設けられたことを特徴とする請求項１に記載のコールドペーパ用ホルダ。
【請求項３】
前記本体部は、その係合部の少なくとも一部に被覆部材により形成される被覆部を有することを特徴とする請求項１又は２に記載のコールドペーパ用ホルダ。
【請求項４】
前記容器保持部は、その少なくとも一部に被覆部材により形成される被覆部を有することを特徴とする請求項１乃至３のいずれか一項に記載のコールドペーパ用ホルダ。
【発明の詳細な説明】
【０００１】
【発明の属する技術分野】
本発明は、コールドパーマを施す場合に使用されるコールドペーパの収納容器を保持するためのコールドペーパ用ホルダに関するものである。
【０００２】
【従来の技術】
一般に、頭髪を所望する形状にセットする場合、そのセット作業が簡単にできるように、頭髪に一定の流れを与えるため、コールドパーマをかけることが知られている。コールドパーマをかける場合は、頭髪を所定ブロックごとにまとめて、一定量の頭髪をコームでスライスして分け取り、コールドペーパをその分け取った頭髪に沿って当接させた状態とし、ロッドを使用してコールドペーパごと頭髪に巻き付け、頭髪の根元近くまでロッドで巻きつけ、輪ゴムをロッドの左右にかけてロッドを固定する作業を行う（ワインディング作業）。次に、このワインディング作業終了後、パーマ液をワインディング作業した頭髪に降りかけ、一定時間浸透させ、その後、頭髪からロッド、輪ゴムや、コールドペーパなどを取り外して頭髪を洗いコールドパーマの作業が終了する。
【０００３】
図６に示すように、コールドパーマに使用されるコールドペーパ１２は、専用のコールドペーパ収納容器１０内に複数枚が積層された状態で収納され、作業用のワゴンの上に載置されている。そのため、施術者は前記ワインディング作業毎にコールドペーパを手にするために、不安定なワゴンの上に載置されたコールドペーパ収納容器１０から、コールドペーパ１２を取るため、コールドペーパ収納容器１０がワゴンから床等へ転落することがある。
【０００４】
前記の問題点を解決するために、施術者の身の回り範囲内に携帯可能に担持されると共に、ロール状コールドペーパを収容保持するペーパ保持部を備えた携帯理容具収納装置が提案されている（例えば、特許文献１参照）。
【０００５】
【特許文献１】
登録実用新案第３０２１７８５号公報（第２頁左欄２〜８行、図１、図９）
【０００６】
【発明が解決しようとする課題】
しかしながら、図７に示すように、携帯理容具収納装置１１０は、ロール状コールドペーパ１１５を収容保持するペーパ保持部１１４を備えた収納箱１１１を、肩かけベルト１１２及び吊りフック１１３で施術者の身の回り範囲内に携帯可能に担持するように構成されたものである。そのため、携帯理容具収納装置１１０は、その収納箱１１１が施術者と顧客の座っている椅子との間に配置されるため、理髪作業の邪魔になり、作業性が悪いという問題があった。また、収納箱１１１は、施術者等にベルト１１２及びフック１１３で携帯させるため、取り付け、取り外し作業に手間がかかってしまった。さらに、収納箱１１１は、施術者に携帯させることしかできず、他の顧客の担当も同時に受け持つことが多いワインディング作業において、施術者にロッド、コールドペーパ、輪ゴム等の作業に用いる器具の多くを一度に保持させることには、不都合であった。
【０００７】
そこで、本発明は、このような問題点を解決すべく創案されたもので、その目的は、ワインディング作業の際に、コールドペーパ収納容器の床等への転落がない、また、施術者の邪魔にならず、作業性を向上させることが可能なコールドペーパ用ホルダを提供することにある。
【０００８】
【課題を解決するための手段】
前記課題を解決するために、請求項１に記載の発明では、コールドパーマ用ペーパを収納するコールドペーパ収納容器を保持するコールドペーパ用ホルダであって、前記コールドペーパ収納容器に当接して保持する容器保持部と、前記容器保持部を回動自在に支持する支持部と、前記支持部に設けられ、被係合側に係合するための本体部とを有し、前記本体部は、前記容器保持部に保持されるコールドペ−パ収納容器の上下方向に沿って延びる係合部を備え、前記係合部は、その形状が前記被係合側に対応して折り曲げ可能で、かつ前記被係合側への係合時に形状保持性を有する金属部材で形成されるコールドペーパ用ホルダとして構成したものである。
【０００９】
前記の構成において、前記係合部を有することにより被係合側にコールドペーパ用ホルダが係合する。このとき、前記係合部が被係合側に対応して折り曲げられ、かつ、その形状が保持されることにより、被係合側に本体部を介して係合されるコールドペーパ用ホルダは、その係合部の折曲形状により、係合状態の姿勢が自在となる。また、係合部が折り曲げ自在であるため、被係合側に対して、その係合部の接触面積が大きくなるように設置することができる。
【００１０】
請求項２に記載の発明では、前記係合部の断面形状は、中心点を通り直交する直線の一方が他方の直線より長く形成された長軸線を有する形状からなり、前記長軸線がその係合部の折曲方向に直交方向となるように前記支持部に設けられたコールドペーパ用ホルダとして構成したものである。
【００１１】
前記の構成において、前記係合部の断面が所定形状を有することにより、係合部の折曲方向が規制され、係合部を小さな力で形成することが可能となると共に、コールドペーパ用ホルダの繰り返しの折曲による折曲癖が本体部に残り難い。
【００１２】
請求項３に記載の発明では、前記本体部は、その係合部の少なくとも一部に被覆部材により形成される被覆部を有するコールドペーパ用ホルダとして構成したものである。
【００１３】
前記の構成において、前記本体部の係合部が被覆部を有することにより、係合部の被係合側に対する摩擦抵抗が大きくなり、コールドペーパ用ホルダの係合力が大きくなる。
【００１４】
請求項４に記載の発明では、前記容器保持部は、その少なくとも一部に被覆部材により形成される被覆部を有するコールドペーパ用ホルダとして構成したものである。
【００１５】
前記構成において、前記容器保持部が被覆部を有することにより、容器保持部のコールドペーパ収納容器に対する摩擦抵抗が大きくなり、コールドペーパ収納容器の保持力が大きくなる。
【００１６】
【発明の実施の形態】
以下、本発明の実施の形態を図面に基づき説明する。図１はコールドペーパ用ホルダの構成及びその使用方法を示す斜視図、図２はコールドペーパ用ホルダの構成及びその使用方法を示す側面図、図３（ａ）はコールドペーパ用ホルダの係合部の一部を示す斜視図、（ｂ）は（ａ）のＡ−Ａ線の断面図、図４（ａ）は本体部の被覆部の応用例を示す一部を省略した側面図、（ｂ）及び（ｃ）は被覆部の他の応用例を示す一部を省略した斜視図、図５は支持部の構成を示めす斜視図である。
【００１７】
図１に示すように、コールドペーパ用ホルダ（以下、単にホルダと称す。）１は、コールドペーパ収納容器１０に当接して保持する容器保持部３と、容器保持部３を回動自在に支持する支持部４と、支持部４に設けられ被係合側（図１においてはワゴン、以下、ワゴンと称す）１１に係合するための本体部２とを有するように構成されている。
【００１８】
容器保持部３は、コールドペーパ収納容器１０の胴体部分に沿ってライン状の部材を枠状に形成して、その枠内３ａにコールドペーパ収納容器１０を挿入して、その胴体部分を当接させた状態で保持するものである。そして、コールドペーパ収納容器１０の胴体部分が下端に向かって断面積が減少するように傾斜しているため、容器保持部３の枠内３ａにコールドペーパ収納容器１０が強く保持される。この容器保持部３の形状及び大きさは特に限定されず、コールドペーパ収納容器１０の形状及び大きさを考慮して設定され、通常、長方形の枠状が好ましい。また、ライン状の部材として棒状部材で周囲を取り囲んで形成されたものが好ましいが、板状部材で形成される構成であってもよい（図示せず）。また、棒状部材または板状部材の材料は特に限定されないが、その重量、強度及びコールドペーパ収納容器１０に対する保持力の点から、アルミニウム合金、銅合金、ステンレス等の軽量金属、硬質プラスチック等が好ましい。また、棒状部材の断面形状は丸形、長方形等で、容器保持部３の作製しやすさから丸形が好ましい。さらに、棒状部材は中空パイプで構成されていることがより好ましい。容器保持部３をアルミニウム合金、ステンレス等からなる棒状部材で形成することが、容器保持部３及びホルダ１を軽量化する点で最も好ましい。
【００１９】
また、容器保持部３は、図示しないが、後記する本体部と同様に、その少なくとも一部に合成樹脂、ゴム等の被覆部材により形成された被覆部を有することが好ましい。被覆部の構成は、後記する本体部の被覆部と同様にするのが好ましい。この被覆部を有することにより、容器保持部３のコールドペーパ収納容器１０に対する摩擦抵抗が大きくなり、コールドペーパ収納容器１０の保持力が大きくなる。また、コールドペーパ収納容器１０が確実に保持されるので、コールドペーパ収納容器１０からコールドペーパ１２を取り出す際に、コールドペーパ収納容器１０がコールドペーパ取出方向に動くことが防止され、コ−ルドペーパ１２の取出が容易となる。その結果、施術者の作業性が向上することとなる。なお、ここでは、容器保持部３は、枠状に形成された例として示したが、フレームカゴ状、網カゴ状（図示せず）に形成することや、あるいは、プラスチック等でカップ状（図示せず）に形成しても構わない。
【００２０】
図１、５に示すように、支持部４は、容器保持部３を回動自在に支持するためのヒンジ部４ｂと、本体部２を固定するための固定部４ｃとを支持部本体４ａに備えている。この支持部４は、支持部本体４ａ前面の上端部に形成したヒンジ部４ｂの内側に容器保持部３を嵌め込むことによって、容器保持部３を回動自在に支持している。また、支持部４は、支持部本体４ａ裏面の左右両端部に形成した固定部４ｃ、４ｃの内側に本体部２を嵌め込み、かしめることによって、本体部２を固定している。これにより、容器保持部３が本体部２の前面側２ｂに回動自在に支持され、そして、コールドペーパ収納容器１０が本体部２の前面側２ｂに沿うように容器保持部３に保持される（図２参照）。なお、この支持部４においては、容器保持部３及び本体部２の支持、固定方法は特に限定されるものでない。
【００２１】
また、図５においては、ヒンジ部４ｂと固定部４ｃは、支持部本体４ａの相対する異なる面に備えられているが、支持部４の前面又は裏面の同一面に備えた構成でもよい。さらに、固定部４ｃにおいて、本体部を溶接、または接着剤等で接着することによって固定する構成でもよい。
【００２２】
図１、２に示すように、本体部２は、ワゴン１１に係合するために、コールドペーパ収納容器１０の上下方向に沿って延びる係合部２ｃ、２ｄを備える。この本体部２は、折り曲げ可能で、かつ、ワゴン１１への係合時に形状保持性を有するライン状の部材で形成して、支持部４の固定部４ｃに長環状に固定するものであって、その上端部または下端部の少なくとも一方をワゴン１１の形状（図１、２では把持部１１ａ）に合わせて折り曲げて係合部２ｃ、２ｄを形成し、その係合部２ｃ、２ｄでワゴン１１（図１、２では把持部１１ａ）に係合するものである。この本体部２の金属部材としては、棒状部材または板状部材が好ましく、そして、軽量及び柔軟な金属、例えば、アルミニウム合金、銅合金、ステンレス等から構成され、アルミニウム合金で構成されることが好ましい。さらに、棒状部材の外径等の寸法、または板状部材の板厚等の寸法は、折曲性及び形状保持性を考慮して適宜設定する。この本体部２の形状及び大きさは特に限定されず、コールドペーパ収納容器１０の形状及び大きさを考慮して設定される。この本体部２の形状は、縦長の長環状が好ましく、その上端部及び／又は下端部において対向するライン状部材の間隔が端部に行くにしたがって狭くなり先細りした形状（図示せず）であってもよい。また、本体部２は、ライン状の部材として棒状部材で形成されたものがより好ましいが、板状部材で形成されたものであってもよい（図示せず）。さらに、本体部２は、棒状部材で形成することにより、本体部２及びホルダ１の軽量化が可能となると共に、後記する係合部を形成する際に、小さな力で形成することが可能となる。なお、本体部２は、棒状部材を中空パイプで形成しても構わない。
【００２３】
そして、ホルダ１の使用時には、本体部２の上端部を裏面側２ａに折り曲げることにより係合部２ｃ形成する。この係合部２ｃは、ワゴン１１の把持部１１ａに係合して、ホルダ１をワゴン１１に係合させる。また、係合部２ｃがワゴン１１の把持部１１ａの形状に対応して折り曲げられ、かつ、その形状が保持されることにより、ワゴン１１にホルダ１を係合することが簡単になると共に、係合部２ｃのワゴン１１（把持部１１ａ）に対する接触面積も大きくなる。そして、ホルダ１の係合力も大きくなり、ワゴン１１からのホルダ１の落下も防止できる。その結果、施術者の労力が軽減されることとなる。さらに、係合部２ｃがワゴン１１の形状に対応して折り曲げられることにより、把持部１１ａの形状に制限されず、施術者の作業の邪魔にならない位置をワゴン１１から自由に選択してホルダ１を係合することが可能となる。その結果、施術者の作業性が向上することとなる。
【００２４】
また、図２に示すように、本体部２は、前記係合部２ｃと対向するように、本体部２の係合部２ｄを裏面側２ａに折り曲げて、その折曲状態を調整することが好ましい。ホルダ１がワゴン１１に係合されると、この係合部２ｄがワゴン１１の側壁等に接触して、ホルダ１のワゴン１１に対する係合角度が規定される。そして、この係合部２ｄの折曲長さ、折曲状態を係合部２ｃとは異なるものとすることにより、ホルダ１のワゴン１１に対する係合角度が調整され、ホルダ１に保持されたコールドペーパ収納容器１０の頂部が垂直方向に対して角度θだけ前傾または後傾（図示せず）することとなる。その結果、コールドペーパ収納容器１０の頂部に設けられたコールドペーパ１２の取出口１２ａを、施術者の好みによって、適宜、前傾または後傾させることが可能となり、コールドペーパ１２の取出が容易となり、施術者の作業性が向上することとなる。なお、前記折曲状態には、本体部２の下端部を折り曲げない状態も含み、その場合であっても前記と同様の作用効果を有する。また、前記角度θには、ホルダ１がワゴン１１の側壁と平行で、前傾または後傾していない（ホルダ１が垂直に係止されている）θ＝０度の場合を含む。
【００２５】
なお、被係合側としてワゴンを例にとって説明したが、本発明においては、施術者の身の回りに設置でき、ホルダ１を係合可能な部位を備えたものであれば、例えば、施術者のベルトなどのワゴン以外のものでも構わない。
【００２６】
また、図１、２において、係合部２ｃ、２ｄは本体部２と同一部材で一体に作製されているが、係合部と本体部を別部材として作製し、その後、本体部に係合部を接合した構成でもよく（図示せず）。さらに、前記のように本体部と係合部を一体に作製する際に、係合部のみを自在に折り曲げ可能で、かつ形状保持性を有する部材で作製した構成であっても良い（図示せず）。
【００２７】
また、図３（ｂ）に示すように、係合部２ｃ、２ｄの断面形状は、中心点を通り直交する直線の一方が他方の直線より長く形成された長軸線Ｌ１を有する形状からなり、長軸線Ｌ１が、その係合部２ｃ、２ｄの折曲方向に直交方向となるように支持部４に設けられている（図１参照）。そして、係合部２ｃ、２ｄの断面形状は、長軸線Ｌ１を有する断面形状であれば特に限定されず、例えば、楕円形状、小判形状、長方形状が好ましい。前記のように、係合部２ｃ、２ｄが棒状部材（中空パイプ）で形成されることが好ましい点、係合部２ｃ、２ｄの作製のしやすさの点から楕円形状がより好ましい。また、長軸線Ｌ１と短軸線Ｌ２の比率は、特に限定されず、係合部２ｃ、２ｄの折曲力および形状保持性を考慮して設定される。
【００２８】
この断面形状により、本体部２に係合部２ｃ、２ｄを形成する際に、本体部２の折曲方向が規制され、小さな力で折り曲げることが可能となる。また、この断面形状により、ホルダ１の繰り返しの折曲による折曲癖が本体部２に残り難くなる。その結果、本体部２が凹凸になる等の外観不良の発生を防止できる。また、ホルダ１の使用方法としては、本体部２の上下端部を折り曲げて係合部２ｃ、２ｄをワゴン１１（把持部１１ａ）に対応させて係合し、そして、ホルダ１を使用しないときには、コールドペーパ収納容器１０のみをその容器保持部３から抜き出してもよい。
【００２９】
また、図３（ａ）、（ｂ）に示すように、本体部２は、その少なくとも係合部２ｃ、２ｄに被覆部材により形成された被覆部２２を有することが好ましい。さらに、本体部２の全体が被覆部材で被覆されていることがより好ましい。そして、被覆部２２の形態は、本体部２（図３では棒状部材２１）の表面外周を均一に被覆部材で被覆することが好ましく、その厚みは、例えば、０．１〜５．０ｍｍであり、塩化ビニル樹脂等の合成樹脂、ゴム等の摩擦抵抗が大きくなる材料で被覆することが好ましい。
【００３０】
また、被覆方法としては、例えば、加熱溶融した被覆部材中に本体部２を浸漬することや、スプレーノズルから被覆部材を噴射することや、刷毛で被覆部材を塗布する方法等が用いられる。被覆部２２の被覆状態は、フラットに形成する構成でもよいし、また、図４（ａ）に示すように、ワゴン１１の把持部１１ａ（図１参照）に当接する側に鋸歯状の凹凸部２２ａを形成する構成でもよい。また、被覆部の長手方向にストライプ状の凹凸部を形成する構成でもよい（図示しない）。また、図４（ｂ）、（ｃ）に示すように、被覆部２２表面に丸孔２２ｂまたは丸凸部２２ｃを所定位置に備えた構成でもよい。また、丸孔また丸凸部は、その形状を三角形、四角形、五角形等の多角形にすることや、その位置をアトランダムにする構成でもよい（図示せず）。さらに、被覆部を被覆直後に、その表面を刷毛等で撫でつけるなどすることで被覆部表面を荒らすことや、被覆部材の溶解液中に粒状の他部材を混入し、その溶解液中に本体部を浸漬することで被覆部に凹凸を形成する構成でもよい（図示せず）。
【００３１】
このような被覆部２２を係合部２ｃが有することにより、ワゴン１１の把持部１１ａに対する係合部２ｃの摩擦抵抗が大きくなり、ホルダ１の係合力が大きくなる。その結果、施術者のワゴン１１への接触等があっても、ホルダ１がワゴン１１の把持部１１ａから外れて床等に落下することが防止される（図２参照）。また、係合部２ｄが被覆部を有することにより、ワゴン１１の側壁等に対する係合部２ｄの摩擦抵抗によって、ホルダ１のワゴン１１対する係合角度が安定する（図２参照）。さらに、係合部２ｃのみに被覆部を有し、係合部２ｄには被覆部がない構成でもよい。
【００３２】
次に、本発明のホルダ１の使用方法について、図１、２に基づき説明する。
（１）頭髪のカッティング作業終了後、カッティング作業に使用したハサミ、櫛等をワゴン１１の上から片付ける。
（２）コールドパーマに使用するロッド、コールドペーパ１２、輪ゴム、パーマ液、頭髪カバー、洗髪液等をワゴン１１の上に準備する。なお、コールドペーパ１２は、コールドペーパ収納容器１０内に収納されたものを準備する。
（３）コールドパーマのワインディング作業に入る前に、作業の邪魔にならず、ホルダ１を係合できる場所をワゴン１１から選ぶ、図１、２においては把持部１１ａである。
（４）把持部１１ａの形状に合わせて、ホルダ１の本体部２の上端部を折り曲げて、係合部２ｃを把持部１１ａに合わせる。把持部１１ａと係合部２ｃを係合して、ワゴン１１にホルダ１を係合する。
（５）ホルダ１の容器保持部３を回動して、その枠内３ａにコールドペーパ収納容器１０を挿入して当接保持する。なお、前記（４）の本体部２の折曲作業の前に行なってもよい。
（６）コールドペーパ収納容器１０の上端部の取出口１２ａから、コールドペーパ１２の先端を取り出す。この際、コールドペーパ１２の取出作業がしやすいように、係合部２ｃの形態を調整して、ホルダ１の前傾または後傾の角度θを調整する。必要であれば、ホルダ１の下端部を折り曲げて係合部２ｄを形成し、両係合部２ｃ、２ｄの形態を調整して、ホルダ１の角度θを決めてもよい。
（７）ワイディング作業に入り、必要であれば、適宜、前記（６）と同様にしてホルダ１の角度θを調整してもよい。
（８）ワインディング作業終了後、パーマ、洗髪を行い、コールドパーマを終了する。終了後、ホルダ１をワゴン１１から外す。コールドペーパ収納容器１０を容器保持部３から外し、所定場所に戻し保管する。
（９）ホルダ１の係合部２ｃまたは係合部２ｄを折り戻して、本体部２をフラットの状態にして、ホルダ１を所定場所に戻し保管する。
【００３３】
【発明の効果】
以上の通り構成される本発明によれば、以下の効果を奏する。
（１）本発明においては、本体部が、ワゴン等の被係合側に対応した形状に折り曲げ可能で、かつ形状保持性を有する係合部を備えることにより、コールドペーパ用ホルダが、ワゴン等に簡単に係合されると共に、コールドペーパ用ホルダの床等への落下が防止される。その結果、施術者の労力を軽減することができた。また、施術者の邪魔にならず、コールドペーパ収納容器の垂直方向における傾きが自由に選択され、コ−ルドペーパの取出が容易となる。その結果、施術者の作業性も向上させることができた。
【００３４】
（２）また、本発明においては、係合部の断面形状を規定することによって、コールドペーパ用ホルダの係合のための本体部の折曲が容易となると共に、コールドペーパ用ホルダの本体部に、折曲に起因した外観不良が発生することを防止できた。
【００３５】
（３）また、本発明においては、本体部に被覆部を有することにより、施術者のワゴン等への接触等があっても、コールドペーパ用ホルダがワゴン等から落下することを防止でき、施術者の労力を軽減することができた。
【００３６】
（４）また、本発明においては、容器保持部に被覆部を有することにより、コールドペーパ収納容器が確実にコールドペーパ用ホルダに保持され、コールドペーパ収納容器からのコールドペーパの取出が容易となり、施術者の作業性を向上させることができた。
【図面の簡単な説明】
【図１】本発明のコールドペーパ用ホルダの構成及びその使用方法を示す斜視図である。
【図２】本発明のコールドペーパ用ホルダの構成及びその使用方法を示す側面図である。
【図３】（ａ）は本発明の係合部の斜視図、（ｂ）は（ａ）のＡ−Ａ線の断面図である。
【図４】（ａ）は本発明の本体部の被覆部の応用例を示す一部を省略した側面図、（ｂ）及び（ｃ）は被覆部の他の応用例を示す一部を省略した斜視図である。
【図５】本発明の支持部の構成を示す斜視図である。
【図６】コールドペーパ収納容器の斜視図である。
【図７】従来の携帯理容具収納装置の構成を示す斜視図である。
【符号の説明】
１            コールドペーパ用ホルダ
２            本体部
２ａ          裏面側
２ｂ          前面側
２ｃ、２ｄ    係合部
２１          棒状部材
２２          被覆部
２２ａ        鋸歯状の凹凸部
２２ｂ        丸孔
２２ｃ        丸凸部
３            容器保持部
３ａ          枠内
４            支持部
４ａ          支持部本体
４ｂ          ヒンジ部
４ｃ          固定部
１０          コールドペーパ収納容器
１１          被係合側（ワゴン）
１１ａ        把持部
１２          コールドペーパ
１２ａ        取出口
Ｌ１          長軸線
Ｌ２          短軸線
【図１】
2004173920.tif 000003
【図２】
2004173920.tif 000004
【図３】
2004173920.tif 000005
【図４】
2004173920.tif 000006
【図５】
2004173920.tif 000007
【図６】
2004173920.tif 000008
【図７】
2004173920.tif 000009